(57)【要約】      （修正有）【課題】積層された多数枚のシート状物品を１枚ずつ取出し可能に収納するストッカーを提供する。【解決手段】上壁４に取出口を備えたケース本体２の下部開口６から内装室７に向けて、トレー１８をスプリング１９により昇降自在に弾支した物品載置ユニット３を内装し、トレーに所定の最大枚数とされたシート状物品を載置したときスプリングの圧縮によりトレーを最下位置まで下降させ、シート状物品が所定の最小枚数とされたときスプリングの伸び切りによりトレーを最上位置まで上昇させるように構成され、トレーが最下位置と最上位置の何れに位置するときでも、その上に載置されている最上層のシート状物品がケース本体には非接触状態で保持されるように構成している。【選択図】図２
0003216156.tif 000002
【実用新案登録請求の範囲】
【請求項１】
ケース本体と物品載置ユニットにより構成され、
前記ケース本体(2)は、上壁(4)から垂設された周壁(5)により下向きに開放された下部開口(6)を有する内装室(7)を区成すると共に、前記上壁に取出口(9)を形成し、
前記物品載置ユニット(3)は、前記ケース本体の下部開口(6)を着脱自在に閉蓋する底部材(17)と、前記内装室(7)の内部においてシート状物品を積層状態で載置するトレー(18)と、前記トレーを底部材の上方位置に弾支する伸縮自在なスプリング(19)を相互に組付けたユニットを構成し、
前記スプリング(19)は、前記トレー(18)に所定の最大枚数Ｎｚとされたシート状物品を載置したとき圧縮されることにより前記トレーを最下位置ＰＬまで下降させ、前記シート状物品の枚数が減じるに従い伸長することにより前記トレーを上昇させると共に、前記シート状物品が所定の最小枚数Ｎｘとされたとき伸び切ることにより前記トレー(18)を最上位置ＰＨまで上昇させるように構成され、
前記トレー(18)が最下位置ＰＬに下降した状態で該トレーに載置されている前記最大枚数Ｎｚのシート状物品のうち最上層のシート状物品がケース本体(2)には非接触状態で保持され、
前記トレー(18)が最上位置ＰＨに上昇した状態で該トレーに載置されている前記最小枚数Ｎｘのシート状物品のうち最上層のシート状物品がケース本体(2)に非接触状態で保持されるように構成して成ることを特徴とするシート状物品のストッカー。
【請求項２】
前記最下位置ＰＬに下降したトレー(18)に載置されている前記最大枚数Ｎｚのシート状物品のうち最上層のシート状物品と前記上壁(4)の間に空間Ｓ１が形成され、
前記最上位置ＰＨに上昇したトレーに載置されている前記最小枚数Ｎｘのシート状物品のうち最上層のシート状物品と前記上壁(4)の間に空間Ｓ２が形成されるように構成して成ることを特徴とする請求項１に記載のシート状物品のストッカー。
【請求項３】
前記トレー(18)に最大枚数Ｎｚよりも少なく最小枚数Ｎｘよりも多い所定枚数Ｎｍのシート状物品を載置したとき、前記スプリング(19)を圧縮することにより該トレーを最下位置ＰＬまで下降させるように構成され、
前記トレー(18)と底部材(17)の相互に、該トレーを最下位置ＰＬで下降不能に支持するストッパ(26)を設けて成ることを特徴とする請求項１又は２に記載のシート状物品のストッカー。
【考案の詳細な説明】
【技術分野】
【０００１】
本考案は、積層された多数枚のシート状物品を１枚ずつ取出し可能に収納するストッカーに関する。
【背景技術】
【０００２】
従来、ウエットティッシューやペーパータオル等のシート状物品は、所定枚数を積層すると共に包装され、包装状態で販売されている。
【０００３】
ユーザがシート状物品を消費する際は、包装体の取出口を開口させ、最上層のシート状物品を取出口から取出せば良い。
【０００４】
ところで、一般家庭等における意匠的ないし趣味的観点等から、シート状物品を包装体に収納された状態で更にケース体に収納させ、該ケース体に設けた取出口からシート状物品を１枚ずつ取出し可能としたストッカーが提案されている。
【０００５】
この点に関して、多数枚のシート状物品の積層体は、上から順に消費するに従い、積層体の高さを次第に減じるので、ケース体の取出口から手指を挿入して最上層のシート状物品を取出すことが困難となる。
【０００６】
そこで、ケース体に底上げ機構を設け、高さを減じたシート状物品の積層体を上昇させるように構成したストッカーが提案されている。
【先行技術文献】
【特許文献】
【０００７】
【特許文献１】特開２０１１−１１８０５号公報
【特許文献２】特許第４１５１２０１号公報
【特許文献３】特許第６１３４１１５号公報
【考案の概要】
【考案が解決しようとする課題】
【０００８】
従来技術におけるストッカーの底上げ機構は、シート状物品の積層体を下から板バネの弾発力により押上げるバネ式構成（特許文献１）と、シート状物品の積層体を下から必要に応じて手動操作により押上げる手動式構成（特許文献２及び３）に分類することができる。
【０００９】
前記バネ式構成は、上から順にシート状物品を消費したとき、バネにより積層体を自動的に上昇させ、常に最上層のシート状物品をケース体の取出口に臨ませることができるという利点がある。しかしながら、押上げられた最上層のシート状物品（又は該積層体を収納した包装体）の上面が常にケース体の上部内面に弾接されているため、ケース体の取出口から最上層のシート状物品を簡単に取出すことが困難である。つまり、最上層のシート状物品は、ケース体の上部内面に弾接保持されているので、該弾接保持力に抗して引き出すための力を必要とするという問題がある。
【００１０】
また、手動式構成は、シート状物品の消費量を見計らって、ユーザが手動で底上げのための押上げ作業を行わなければならず、煩雑である。しかも、ユーザがケース体の底部に底上げ機構が存在することを知らないときは、所期の目的を達し得ないという問題がある。
【００１１】
このため、本考案は、上記バネ式構成における積層体の上昇を自動化する利点を含ませながら、最上層のシート状物品（又は該積層体を収納した包装体）の上面をケース体の上部内面に弾接させず、常に、最上層のシート状物品の上方に非接触の収納空間を形成させることにより、該シート状物品の取出しが容易であるストッカーを提供し、更に、バネ式構成でありながら、シート状物品を消費し尽くした後、新たなシート状物品の積層体を詰め替える際、該詰め替え作業を容易に行い得るように構成したストッカーを提供するものである。
【課題を解決するための手段】
【００１２】
そこで、本考案が手段として構成したところは、ケース本体と物品載置ユニットにより構成され、前記ケース本体は、上壁から垂設された周壁により下向きに開放された下部開口を有する内装室を区成すると共に、前記上壁に取出口を形成し、前記物品載置ユニットは、前記ケース本体の下部開口を着脱自在に閉蓋する底部材と、前記内装室の内部においてシート状物品を積層状態で載置するトレーと、前記トレーを底部材の上方位置に弾支する伸縮自在なスプリングを相互に組付けたユニットを構成し、前記スプリングは、前記トレーに所定の最大枚数Ｎｚとされたシート状物品を載置したとき圧縮されることにより前記トレーを最下位置ＰＬまで下降させ、前記シート状物品の枚数が減じるに従い伸長することにより前記トレーを上昇させると共に、前記シート状物品が所定の最小枚数Ｎｘとされたとき伸び切ることにより前記トレーを最上位置ＰＨまで上昇させるように構成され、前記トレーが最下位置ＰＬに下降した状態で該トレーに載置されている前記最大枚数Ｎｚのシート状物品のうち最上層のシート状物品がケース本体には非接触状態で保持され、前記トレーが最上位置ＰＨに上昇した状態で該トレーに載置されている前記最小枚数Ｎｘのシート状物品のうち最上層のシート状物品がケース本体に非接触状態で保持されるように構成して成る点にある。
【００１３】
この際、前記最下位置ＰＬに下降したトレーに載置されている前記最大枚数Ｎｚのシート状物品のうち最上層のシート状物品と前記上壁の間に空間Ｓ１が形成され、前記最上位置ＰＨに上昇したトレーに載置されている前記最小枚数Ｎｘのシート状物品のうち最上層のシート状物品と前記上壁の間に空間Ｓ２が形成されるように構成することが好ましい。
【００１４】
本考案の好ましい実施形態は、前記トレーに最大枚数Ｎｚよりも少なく最小枚数Ｎｘよりも多い所定枚数Ｎｍのシート状物品を載置したとき、前記スプリングを圧縮することにより該トレーを最下位置ＰＬまで下降させるように構成され、前記トレーと底部材の相互に、該トレーを最下位置ＰＬで下降不能に支持するストッパを設けている。
【考案の効果】
【００１５】
本考案によれば、ストッカー１に収納したシート状物品の積層体Ｍの上から順にシート状物品を取出し消費したとき、スプリング１９により積層体Ｍを載置したトレー１８を自動的に上昇させることができる利点があり、特に、スプリング１９は、トレー１８に所定の最大枚数Ｎｚとされたシート状物品を載置したとき最大圧縮状態とされてトレーを最下位置ＰＬまで下降させ、シート状物品の枚数が減じるに従い伸長することによりトレーを上昇させると共に、前記シート状物品が所定の最小枚数Ｎｘとされたとき伸び切ることによりトレーを最上位置ＰＨまで上昇させるように構成され、トレー１８が最下位置ＰＬに下降した状態と最上位置ＰＨに上昇した状態の何れにおいても、積層体Ｍの最上層のシート状物品をケース本体２には非接触状態で保持するように構成しているので、取出口に挿入した手指により、最上層のシート状物品を摩擦抵抗なく簡単容易に取出すことができる効果がある。
【００１６】
更に、物品載置ユニット３は、底部材１７とトレー１８とスプリング１９を組付けたユニットを構成しているので、シート状物品を消費し尽くした後、新たなシート状物品の積層体Ｍを詰め替える場合においても、該詰め替え作業を容易に行うことができる。
【図面の簡単な説明】
【００１７】
【図１】本考案の１実施形態に係るストッカーを示す斜視図である。
【図２】ケース本体と物品載置ユニットを分離状態で示す斜視図である。
【図３】ケース本体の取出口に設けた開閉蓋を示しており、（Ａ）は全体を示す斜視図、（Ｂ）は部分拡大斜視図、（Ｃ）は開蓋状態の断面図、（Ｄ）は閉蓋状態の断面図である。
【図４】物品載置ユニットの構成部材を分解状態で示す斜視図である。
【図５】物品載置ユニットを示し、スプリングが伸び切り、トレーを最上位置に位置させた状態を示す断面図である。
【図６】物品載置ユニットを示し、トレーに所定最大枚数のシート状物品を載置することによりスプリングを圧縮し、トレーを最下位置に位置させた状態を示す断面図である。
【図７】本考案の作用に関して、トレーに所定の最大枚数のシート状物品を載置した状態を示す断面図である。
【図８】本考案の作用に関して、トレーに所定の最小枚数のシート状物品を載置した状態を示す断面図である。
【考案を実施するための形態】
【００１８】
以下図面に基づいて本考案の好ましい実施形態を詳述する。
【００１９】
図１及び図２に示すように、ストッカー１は、ケース本体２と物品載置ユニット３により構成され、所定枚数のシート状物品を積層した積層体Ｍ（図７及び図８参照）を収納し、最上層のシート状物品から１枚ずつ取出して消費するために提供される。
【００２０】
前記シート状物品の積層体Ｍは、ピロー包装等により包装体で包装された状態のままストッカー１に収納しても良く、その場合、包装体に設けられた取出口を開口させた状態で収納される。本考案は、シート状物品として衛生マスクを対象としており、その場合、個別に包装された衛生マスクが積層状態の積層体Ｍを構成する。尚、本考案は、シート状物品の種類を特に限定するものではなく、ウエットティッシューやペーパータオル等のシート状物品であっても良い。
【００２１】
（ケース本体）
前記ケース本体２は、上壁４から垂設された周壁５により下向きに開放された下部開口６を有する内装室７を区成すると共に、前記上壁２に開閉蓋８により開閉自在とされた取出口９を形成している。
【００２２】
開閉蓋８は、基端部に設けた枢軸１０を介してケース本体２に対して開閉方向に回動自在に枢支され、先端の自由端部に施蓋ロック爪１１を設けており、取出口９を閉蓋したときケース本体２に設けられた開閉ボタン１２に前記施蓋ロック爪１１を係止することにより、閉蓋状態を保持する。
【００２３】
前記開閉ボタン１２を押動したとき、前記施蓋ロック爪１１の係止が解除されて開閉蓋８を自動的に開方向に回動させるため、前記枢軸１０の近傍に位置して、開閉蓋８の内側面とこれに対向するケース本体２の部位の間に、弾性手段１３が設けられている。
【００２４】
図３に示すように、前記弾性手段１３は、合成樹脂製の弾性材から成る帯状片により構成されており、該帯状片を開閉蓋８の側に設けられた門形の挿通手段１４に挿通すると共に、挿出端部をケース本体２の側に設けられた受穴を有する受手段１５に挿入係止しており、これにより、帯状片が展開方向（帯状片を直線とする方向）の弾発力を生じることにより、開閉蓋８を開方向に回動させるように構成している。この際、開閉蓋８とケース本体２の相互には、開閉蓋８を所定の開角度とされた状態で当接保持させる規制手段１６が設けられている。
【００２５】
そこで、開閉蓋８は、図３（Ｃ）に示すように開方向に起立保持された状態から、図３（Ｄ）に示すように閉方向に回動して取出口９を閉蓋したとき、前記弾性手段１３が二つ折り状態に折畳まれることにより弾発力を蓄積し、この状態で上述のように開閉蓋８の施錠ロック爪１１が開閉ボタン１２に係止される。
【００２６】
（物品載置ユニット）
図２並びに図４ないし図６に示すように、前記物品載置ユニット３は、前記ケース本体２の下部開口６を着脱自在に閉蓋する底部材１７と、前記内装室７の内部においてシート状物品を積層状態で載置するトレー１８と、前記トレー１８を底部材１７の上方位置に弾支する伸縮自在なスプリング１９を相互に組付けたユニットを構成している。
【００２７】
前記スプリング１９は、コイルスプリングから成り、下端部にコイル部から直径方向に延長された挿入係止部１９ａを形成すると共に、上端部に係止コイル部１９ｂを備えている。
【００２８】
（底部材とスプリング）
前記底部材１７は、弾力性を有する合成樹脂により成形されており、ケース本体２の下部開口６の開口縁部６ａを嵌脱自在に嵌入させる着脱溝２０を周設すると共に、前記スプリング１９の下端部のコイル部を嵌入させる円形溝２１と、該円形溝に嵌入されたコイル部の内側に嵌入される円形台座２２を形成しており、該円形台座２２の直径方向に貫通する係止孔２３を設けている。
【００２９】
そこで、前記スプリング１９は、下端部のコイル部を前記円形溝２１に嵌入すると共に、前記挿入係止部１９ａを前記係止孔２３に挿通させることにより、底部材１７に組付けられている。
【００３０】
図示実施形態の場合、底部材１７には、２本のコイルスプリングから成るスプリング１９、１９が上記構造により組付けられ、立設させられている。
【００３１】
（トレーとスプリング）
前記トレー１８は、合成樹脂により浅皿状に形成され、底部に円環状の短筒部２４を突設し、該短筒部２４の直径方向２個所に位置して内向きに突出する係止爪２５を設けている。
【００３２】
そこで、前記スプリング１９は、上端部の係止コイル部１９ｂを前記短筒部２４に内嵌すると共に、該係止コイル部１９ｂの直径方向２個所を前記係止爪２５に係止され、これにより、トレー１８に組付けられている。
【００３３】
図示実施形態の場合、トレー１８は、一対の短筒部２４、２４を設け、底部材１７に立設された２本のコイルスプリングから成るスプリング１９、１９を組付けることにより弾支されている。
【００３４】
（物品載置ユニットの作用）
図５は、スプリング１９が完全に伸び切った状態を示しており、このとき、トレー１８は、最上位置ＰＨに保持されている。そこで、この状態からトレー１８に荷重がかけられ、所定荷重を超えるに従い、スプリング１９が次第に圧縮されながらトレー１８を下降させるように構成されている。
【００３５】
図６は、スプリング１９の最大圧縮状態を示しており、このとき、トレー１８は、最下位置ＰＬに保持されている。前述のように、スプリング１９は、トレー１８にかけられる荷重の増加に伴い次第に圧縮され、荷重が所定荷重Ｆを越えたとき、図６に示すように最大圧縮状態とされる。このとき、トレー１８の短筒部２４の下端部が底部材１７の円形溝２１の溝底に当接し、該トレー１８を最下位置ＰＬでそれ以上は下降不能とするように支持するストッパ２６を構成する。
【００３６】
（ストッカーの作用）
ストッカー１を使用するときは、物品載置ユニット３のトレー１８に所定の最大枚数Ｎｚとされたシート状物品の積層体Ｍを載置した後、この状態で、ケース本体２の下部開口６に対して、積層体Ｍを載置したトレー１８とスプリング１９を内装室７に向けて装入し、底部材１７の着脱溝２０にケース本体２の開口縁部６ａを嵌着する。
【００３７】
このときのシート状物品の最大枚数Ｎｚは、該シート状物品がピロー包装等により積層状態で包装され販売されているときの枚数であり、前記所定荷重Ｆを作用する所定枚数Ｎｍよりも多い枚数とされており、スプリング１９を最大圧縮状態とするように設定されている。従って、ユーザが購入したときの積層体Ｍは、シート状物品をこの最大枚数Ｎｚとしており、そのままトレー１８に載置すれば、スプリング１９は最大圧縮状態とされる。
【００３８】
図７に示すように、最大枚数Ｎｚとされたシート状物品の積層体Ｍは、前記所定荷重Ｆを超える荷重をトレー１８にかけ、スプリング１９を最大圧縮状態まで圧縮させ、トレー１８を最下位置ＰＬに支持している。この状態において、ストッカー１は、最上層のシート状物品とケース本体２の上壁４（図示のような上壁の下向き突部を含む）の間に空間Ｓ１を形成するように構成されており、従って、最上層のシート状物品は、ケース本体２には非接触状態で保持されている。
【００３９】
このため、ユーザは、開閉蓋８を開けた取出口９から手指を挿入し、最上層のシート状物品を摩擦抵抗なく簡単容易に取出すことができる。
【００４０】
図８に示すように、積層体Ｍは、上から順にシート状物品を消費することにより、次第にトレー上での高さを減じるが、シート状物品の枚数が前記所定枚数Ｎｍよりも少なくなり、スプリング１９に作用する荷重が前記所定荷重Ｆよりも小さくなると、これに伴ってスプリング１９が伸長し、トレー１８を上昇させる。
【００４１】
そこで、図８に示す積層体Ｍのように、シート状物品が所定の最小枚数Ｎｘとされたとき、スプリング１９が伸び切り状態まで伸長することにより、トレー１８を最上位置ＰＨまで上昇させる。この最小枚数Ｎｘは、取出口９から挿入したユーザの手指が最上位置ＰＨに位置するトレー１８に届き、そのとき該トレー１８に載置可能なシート状物品の枚数により決定される。ただし、この状態においても、
最小枚数Ｎｘとされた積層体Ｍにおける最上層のシート状物品とケース本体２の上壁４（図示のような上壁の下向き突部を含む）の間に空間Ｓ２が形成され、従って、最上層のシート状物品がケース本体２には非接触状態で保持されるように構成されている。
【００４２】
このため、ユーザは、開閉蓋８を開けた取出口９から手指を挿入し、最上層のシート状物品を摩擦抵抗なく簡単容易に取出すことができる。
【００４３】
そして、ストッカー１に収納したシート状物品を消費し尽くした後、新たなシート状物品の積層体Ｍを詰め替える場合においても、物品載置ユニット３は、底部材１７とトレー１８とスプリング１９を組付けたユニットを構成しているので、詰め替え作業が容易である。
【符号の説明】
【００４４】
Ｍ  シート状物品の積層体
１  ストッカー
２  ケース本体
３  物品載置ユニット
４  上壁
５  周壁
６  下部開口
６ａ  開口縁部
７  内装室
８  開閉蓋
９  取出口
１０  枢軸
１１  施蓋ロック爪
１２  開閉ボタン
１３  弾性手段
１４  挿通手段
１５  受手段
１６  規制手段
１７  底部材
１８  トレー
１９  スプリング
１９ａ  挿入係止部
１９ｂ  係止コイル部
２０  着脱溝
２１  円形溝
２２  円形台座
２３  係止孔
２４  短筒部
２５  係止爪
２６  ストッパ
【図１】
0003216156.tif 000003
【図２】
0003216156.tif 000004
【図３】
0003216156.tif 000005
【図４】
0003216156.tif 000006
【図５】
0003216156.tif 000007
【図６】
0003216156.tif 000008
【図７】
0003216156.tif 000009
【図８】
0003216156.tif 000010